【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
建物を構造的に支える基礎・土台・柱・桁・梁の構造部材並びに屋根・外壁・断熱層を具備する屋根体・壁体から構成され、天井と内壁と床により室内空間を構成し、
上記屋根体及び／又は壁体の内装材又は断熱層に冷気を供給する給冷手段を備え、
上記冷気を吸収する蓄冷手段を備える建物であって、
上記蓄冷手段は、北側を除いた東・西・南面の屋根体及び／又は壁体の内装材又は断熱層の少なくとも一部に用いる、含水率が日変動差を有する吸放湿とＨ２Ｏの相変化との連携の比率の高い吸放湿材の、吸湿・吸冷により、液化の際生成する凝縮熱の上記冷気による処理、及び上記冷気の潜熱的吸収を通じることを特徴とするエコ住宅。
【請求項２】
建物を構造的に支える基礎・土台・柱・桁・梁の構造部材並びに屋根・外壁・断熱層を具備する屋根体・壁体から構成され、天井と内壁と床により室内空間を構成し、
北側を除いた東・西・南面の屋根体及び／又は壁体の内装材又は断熱層の少なくとも一部に、含水率が日変動差を有する吸放湿材を用い、
上記吸放湿材に冷気を供給する給冷手段を備え、
上記吸放湿材が、上記冷気を吸収する蓄冷手段を備える建物であって、
上記蓄冷手段は、吸放湿とＨ２Ｏの相変化との連携の比率の高い吸放湿材の、吸湿・吸冷により、液化の際生成する凝縮熱の上記冷気による処理、及び上記冷気の潜熱的吸収を通じることを特徴とするエコ住宅。
【請求項３】
建物を構造的に支える基礎・土台・柱・桁・梁の構造部材並びに屋根・外壁・断熱層を具備する屋根体・壁体から構成され、天井と内壁と床により室内空間を構成し、
北側を除いた東・西・南面の屋根体及び／又は壁体の内装材又は断熱層の少なくとも一部に、含水率が日変動差を有し、吸放湿とＨ２Ｏの相変化との連携の比率の高い吸放湿材を用い、
上記吸放湿材に冷気を供給する給冷手段を備え、
上記吸放湿材が、上記冷気を吸収する蓄冷手段を備える建物であって、
上記蓄冷手段は、吸湿・吸冷により、液化の際生成する凝縮熱の上記冷気による処理、及び上記冷気の潜熱的吸収を通じることを特徴とするエコ住宅。
【請求項４】
冷気を潜熱的に吸収するために用いる、
建物を構造的に支える基礎・土台・柱・桁・梁の構造部材並びに屋根・外壁・断熱層を具備する屋根体・壁体から構成され、天井と内壁と床により室内空間を構成し、
北側を除いた東・西・南面の屋根体及び／又は壁体の内装材又は断熱層の少なくとも一部に、含水率が日変動差を有し、吸放湿とＨ２Ｏの相変化との連携の比率の高い吸放湿材を用い、
上記吸放湿材に冷気を供給する給冷手段を備え、
上記冷気を吸収する蓄冷手段を備える吸放湿材であって、
上記蓄冷手段は、吸湿・吸冷により、液化の際生成する凝縮熱の上記冷気による処理、及び上記冷気を潜熱的に吸収することを特徴とする吸放湿とＨ２Ｏの相変化との連携の比率の高い吸放湿材。
【手続補正２】
【補正対象書類名】明細書
【補正対象項目名】００４５
【補正方法】変更
【補正の内容】
【００４５】
先の課題を解決する手段として、本発明は次の構成を行う。
第一に、建物を構造的に支える基礎・土台・柱・桁・梁の構造部材並びに屋根・外壁・断熱層を具備する屋根体・壁体から構成され、天井と内壁と床により室内空間を構成し、上記屋根体及び／又は壁体の内装材又は断熱層に冷気を供給する給冷手段を備え、上記冷気を吸収する蓄冷手段を備える建物であって、上記蓄冷手段は、北側を除いた東・西・南面の屋根体及び／又は壁体の内装材又は断熱層の少なくとも一部に用いる、含水率が日変動差を有する吸放湿とＨ２Ｏの相変化との連携の比率の高い吸放湿材の、吸湿・吸冷により、液化の際生成する凝縮熱の上記冷気による処理、及び上記冷気の潜熱的吸収を通じることを特徴とするエコ住宅。
【手続補正３】
【補正対象書類名】明細書
【補正対象項目名】００４６
【補正方法】変更
【補正の内容】
【００４６】
第二の構成は、建物を構造的に支える基礎・土台・柱・桁・梁の構造部材並びに屋根・外壁・断熱層を具備する屋根体・壁体から構成され、天井と内壁と床により室内空間を構成し、北側を除いた東・西・南面の屋根体及び／又は壁体の内装材又は断熱層の少なくとも一部に、含水率が日変動差を有する吸放湿材を用い、上記吸放湿材に冷気を供給する給冷手段を備え、上記吸放湿材が、上記冷気を吸収する蓄冷手段を備える建物であって、上記蓄冷手段は、吸放湿とＨ２Ｏの相変化との連携の比率の高い吸放湿材の、吸湿・吸冷により、液化の際生成する凝縮熱の上記冷気による処理、及び上記冷気の潜熱的吸収を通じることを特徴とするエコ住宅。
【手続補正４】
【補正対象書類名】明細書
【補正対象項目名】００４７
【補正方法】変更
【補正の内容】
【００４７】
第参の構成は、建物を構造的に支える基礎・土台・柱・桁・梁の構造部材並びに屋根・外壁・断熱層を具備する屋根体・壁体から構成され、天井と内壁と床により室内空間を構成し、北側を除いた東・西・南面の屋根体及び／又は壁体の内装材又は断熱層の少なくとも一部に、含水率が日変動差を有し、吸放湿とＨ２Ｏの相変化との連携の比率の高い吸放湿材を用い、上記吸放湿材に冷気を供給する給冷手段を備え、上記吸放湿材が、上記冷気を吸収する蓄冷手段を備える建物であって、上記蓄冷手段は、吸湿・吸冷により、液化の際生成する凝縮熱の上記冷気による処理、及び上記冷気の潜熱的吸収を通じることを特徴とするエコ住宅。
【手続補正５】
【補正対象書類名】明細書
【補正対象項目名】００４８
【補正方法】変更
【補正の内容】
【００４８】
第四の構成は、冷気を潜熱的に吸収するために用いる、建物を構造的に支える基礎・土台・柱・桁・梁の構造部材並びに屋根・外壁・断熱層を具備する屋根体・壁体から構成され、天井と内壁と床により室内空間を構成し、北側を除いた東・西・南面の屋根体及び／又は壁体の内装材又は断熱層の少なくとも一部に、含水率が日変動差を有し、吸放湿とＨ２Ｏの相変化との連携の比率の高い吸放湿材を用い、上記吸放湿材に冷気を供給する給冷手段を備え、上記冷気を吸収する蓄冷手段を備える吸放湿材であって、上記蓄冷手段は、吸湿・吸冷により、液化の際生成する凝縮熱の上記冷気による処理、及び上記冷気を潜熱的に吸収することを特徴とする吸放湿とＨ２Ｏの相変化との連携の比率の高い吸放湿材。
【手続補正６】
【補正対象書類名】明細書
【補正対象項目名】００４９
【補正方法】削除
【補正の内容】
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６３
【補正方法】削除
【補正の内容】
【手続補正２１】
【補正対象書類名】明細書
【補正対象項目名】００６４
【補正方法】削除
【補正の内容】
【手続補正２２】
【補正対象書類名】明細書
【補正対象項目名】０００１
【補正方法】変更
【補正の内容】
【０００１】
吸放湿とＨ２Ｏの相変化との連携に伴うエネルギー移転の際の、地熱・放射冷却等をエネルギー源として吸収し、液化に伴い生成する凝縮熱を処理する、特に冷気の潜熱的吸収に適する蓄冷手段に関する。
【手続補正２３】
【補正対象書類名】明細書
【補正対象項目名】００９７
【補正方法】変更
【補正の内容】
【００９７】
壁体・屋根体の外側では、夏季の昼間の太陽の日射取得により、外壁は６０℃〜７０℃の温度に達する。それで、外側通気層内・屋根通気層内の相対湿度は極端に下降する。その分湿気を放出する圧力は高くなる。しかも、多孔質の建材から構成される壁体及び／又は屋根体は、昼間の太陽の日射取得によりＨ２Ｏの蒸発に必要な運動エネルギーの供給を受ける。その結果、夜間に蓄えられたＨ２Ｏは多孔質の建材から容易に気化・放湿し、蒸発する。外壁材に吸放湿材を付加する形をとれば、この冷却効果は大きくなり、断熱層への蓄熱を防止する効果がある。いずれも、夜間に潜熱的に蓄冷したエネルギーは、昼間太陽熱エネルギーを吸収する形で遮熱に利用でき、冷房負荷の増大の縮減に貢献する。（０１３４）
南側の屋根体の断熱層を吸放湿性を具備する断熱材のみで構成し、その上、屋根体に屋根通気層を設けると、夏季の昼間は太陽熱エネルギーの日射取得によって蓄熱したエネルギーを屋外へ排出する手段となり、夜間は屋外からの放射冷却を吸収する手段となる。しかも、屋内からの冷気の吸収及び屋外からの冷気の吸収により液化を生じれば、それは昼間の太陽熱エネルギーの日射取得を通じての顕熱を湿気という潜熱の形に変えた排熱に繋がる。それは、顕熱の潜熱化による遮熱効果を生むのみならず、屋内からの吸湿を通じて屋内の除湿を実施することで、室内空間の湿度調節を行うことができる。つまり、夜間に室内空間を冷房したとしても、冷気の供給による液化の影響（吸湿時の平衡含水率と放湿時の平衡含水率との乖離）を昼間の太陽熱エネルギーの吸収を通じた気化・放湿（顕熱の潜熱化による）により抑えることに繋がる。尚、普及しているＨＰ式エアコンは、除湿機能稼働時に併せて冷房機能も働き、冷気の生成・供給が行われる。
＊顕熱の潜熱化による遮熱効果をもたらす潜熱的遮熱の二態様について。
さて、前記の多孔質の建材からの気化・放湿は、具体的には、太陽熱エネルギーを起源とする対流熱・放射熱の形で熱エネルギーを得て、気化・放湿する。即ち、放射熱及び対流熱から運動エネルギーを得て、気化・膨張する。（０１４４）
従来相変化によるエネルギー移転は、常温での液体状のＨ２Ｏから気体状のＨ２Ｏへの変化及び気化熱の利用について注目されてきた。（００７６）
具体的には、１気圧・３０℃の下、太陽熱エネルギーの日射取得を得られない場合でも、吸放湿材の媒介によってＨ２Ｏの相変化（気化）による冷却エネルギーの利用は可能である。（００７８）
例えば内装材からの放湿の場合、内側通気層内は、太陽熱の影響による上昇気流の発生により通気性に優れているので、気化・放湿は促進され、しかも、放出された湿気は速やかに建物外に放出される。（０１４２）又、断熱材からの放湿の場合、「太陽熱エネルギーの日射取得に関係なく気化・放湿を促し、全ての断熱材の含水率上昇の抑制を視野に入れながら吸放湿材は、昼間に常温で気化放湿する。」（００８７）
只、気化熱の影響で周囲に冷却効果が現れ、温度低下すれば、そのままの状態では相変化は持続しなくなる。（００７８）それは、通気による気化・放湿の限界を示すものである。それに対し、太陽熱エネルギーを日射取得できれば、放射熱エネルギーの効果により、運動エネルギーを直接・持続的に供給できる。それで、相変化は持続する。（００７８）
また、太陽熱エネルギーの日射取得がないと、含水率は高止まりする。それで、含水率管理に太陽熱は不可欠である。（００７８）
ここでは、太陽熱エネルギーから放射熱エネルギーとして運動エネルギーを取得し、相変化（気化）のエネルギーとし、太陽熱エネルギーを湿気という潜熱の形に閉じ込める点で画期的である。（００７６）
尚、内壁・天井に用いる内装材は、気化・放湿に必要な運動エネルギーを通気以外の手段によって安定的に供給されるためには、太陽熱エネルギーを日射取得できる断熱層に面し、そこから輻射熱を得られる天井及び東西南側の内壁に限定される。（０１３９）
以下は、断熱層に吸放湿材を用いた場合の、顕熱の潜熱化による遮熱効果についての具体例である。
昼間は、相対湿度との関係で、あるいは、気化に必要な運動エネルギーへと転化して、吸放湿の素材からは放湿し、気化熱により躯体を冷却する方向に働く。断熱材に吸収された湿気は、Ｈ２Ｏの相変化を経て、外側通気層・屋根通気層を通じ建物外に排出される。しかも、顕熱の一部は湿気という潜熱の形で建物外に排出される。（０１１７）
＊潜熱的遮熱と潜熱的蓄冷との関係について。
尚、潜熱式の排熱は、無限に行えるわけではない。エアコンの生成する冷気によって、Ｈ２Ｏの相変化の一面である液化により生成する凝縮熱を吸収する量に応じて、気化熱により太陽熱エネルギーを吸収する量が限定される。（０１１７）又、湿気の吸収並びに冷却エネルギーの吸収を連携して行い、壁体での凝縮熱及び水の生成に繋がる相変化である潜熱式蓄冷が重要となる。しかも、相変化を経て液化する際に生じる凝縮熱を吸収する為に投じられた冷却エネルギーの総量（放射冷却・地熱）の範囲内で、潜熱を利用した遮熱の効果を得られる。（０１０４）
更に、夜間の屋外からの吸冷（潜熱的蓄冷）を昼間の太陽熱エネルギーの日射取得により気化・放湿し、断熱性能の改善に繋げられる。（００８６）
＊吸放湿材に冷気を供給できる給冷手段について。
従来は、熱気の排出にあたり、湿気という潜熱の形に閉じ込め、潜熱化を図る上で必要となる冷却エネルギー供給手段が構成要件として認識されていない。（００２４参照）
しかも、吸放湿材の特性によって、あるいは、吸放湿材に冷気を供給できる環境・手段を備えているか否かによって、吸放湿とＨ２Ｏの相変化との連携の比率は制約される。（段落０００５）
具体的作用は、内装材への吸湿・吸冷により、夜間の地熱・放射冷却のエネルギーは大半を凝縮熱の吸収に消費され（段落０１４１）、あるいは、深夜電力を利用してエアコンから冷気を放出し、建物を構成する吸放湿材を冷却する。冷却されることで、相変化（液化）によって生成される凝縮熱を吸収する。（段落０１１７）、それで、吸放湿材内部で生じる液化に伴い生成される凝縮熱を吸収する上で必要な冷却エネルギーを含む冷気を供給することで生じる現象は、作用面では潜熱的蓄冷の一形態である。（段落００８３）
以下、吸放湿材に冷気を供給できる手段についての具体例を記すと、
１．冷気の供給される源としては、
（Ａ）夜間の放射冷却によりもたらされる自然エネルギー（課題は、００３７参照）
（Ｂ）地熱の自然エネルギー（課題は、００３７参照）
（Ｃ）ＨＰ式エアコン又は給湯エアコンの生成する対流冷気（課題は、００３９参照）
２．冷気を供給する方法・経路の違いにより
（Ａ−１）夜間の放射冷却は、換気システムを介して室内空間より吸放湿性を備える内装材へ供給される。（詳細は、段落００７１参照）
（Ａ−２）夜間の放射冷却は、壁体内換気システムを介して天井裏空間及び／又は内側通気層により吸放湿性を備える内装材及び／又は吸放湿性を備える断熱材へ供給される。（詳細は、段落０１１３・０１１４、図１・２・３参照。課題は００３４）
（Ａ−３）夜間の放射冷却は、開閉式換気口を介して天井裏空間及び／又は内側通気層により吸放湿性を備える内装材及び／又は吸放湿性を備える断熱材へ供給される。（詳細は、段落０１３９〜０１４５、図１５を参照）
（Ａ−４）夜間の放射冷却は、外気に開放された屋根通気層及び／又は外側通気層により吸放湿性を備える断熱材及び／又は吸放湿性を備える外装材へ供給される。（詳細は、段落０１０６、図１６を参照）
（Ｂ−１）地熱の自然エネルギーは、壁体内換気システムを介して天井裏空間及び／又は内側通気層の内少なくとも内側通気層により吸放湿性を備える内装材及び／又は吸放湿性を備える断熱材へ供給される。（詳細は、段落００９９・０１０７・０１１３・０１１４、図１・２・３を参照）
（Ｂ−２）地熱の自然エネルギーは、開閉式床下換気口及び床下空間を介して天井裏空間及び／又は内側通気層の内少なくとも内側通気層により吸放湿性を備える内装材及び／又は吸放湿性を備える断熱材へ供給される。（詳細は、段落０１３９〜０１４５、図１５を参照）
（Ｃ−１）ＨＰ式（給湯）エアコンの生成する対流冷気は、室内空間に設置のエアコンを介して吸放湿性を備える内装材へ供給される。（詳細は、段落０１１９・０１４４、図１を参照）
（Ｃ−２）ＨＰ式（給湯）エアコンの生成する対流冷気は、天井裏空間及び／又は床下空間に設置のエアコンを介して天井裏空間及び／又は内側通気層により吸放湿性を備える内装材及び／又は吸放湿性を備える断熱材へ供給される。（詳細は、段落０１１７・０１３４、図２・３参照）
＊給冷手段の吸放湿材にもたらす潜熱的蓄冷と給冷手段との関係について。
吸放湿材内部で生じる液化に伴い生成される凝縮熱を吸収する上で必要な冷エネルギーを含む冷気を供給することで生じる現象は、作用面では潜熱的蓄冷の一形態である。（００８３）凝縮熱についての認識が十分でなければ、冷却エネルギーを活用した湿気の吸収促進並びに液化の促進という発想は出てこない。（００２７）
断熱材が湿気を吸収し、相変化で液化する過程で凝縮熱が生成される。夜は、外気は放射冷却が加わり温度低下する。更に、温度の低い地熱との相乗効果により、断熱材・仕上げ材等の吸放湿材の吸湿・相変化し、液化に伴い生成する凝縮熱を吸収する。（０１１４）
具体的には、夜間、深夜電力を利用してエアコンから冷気を放出、建物を構成する吸放湿素材を冷却する。冷却されることで、吸湿を促し・相変化（液化）によって生成される凝縮熱を吸収する。（０１１７）
内装材への吸湿・吸冷により、・・・夜間の地熱・放射冷却のエネルギーは大半を凝縮熱の吸収に消費される。（０１４１）
＊潜熱的蓄冷の二態様について。
断熱材はその断熱性により内部に冷却エネルギーを伝導する能力は低い。つまり、冷却エネルギーの伝導が緩慢な分、液化も緩慢である。潜熱的蓄冷を図るにしても、効率は良くない。冷却エネルギーの供給を増加したとしても、吸冷を促すことは難しい。（００８０）エアコンにより冷却エネルギーを対流熱の形で供給しても、伝熱しにくいので、冷却効果が出るには時間がかかる。（００７５）
ところが、吸放湿材である珪酸カルシュウム主成分の板材は、Ｈ２Ｏの液体の状態で吸収でき、吸湿直前に冷気の吸収の効率を高めて飽和状態に至れば、液化を促し、液体の状態のまま吸収される。潜熱的蓄冷の一例である。吸放湿の過程で液化という相変化を生じると、併せて凝縮熱を生じる。（００７８）
それで、空気中の湿気を吸収する際に凝縮熱を吸収し・液化を促進し、かつ、液体状のＨ２Ｏを吸引・吸収することで、吸放湿とＨ２Ｏの相変化との連携の比率を高く維持することに貢献する。（００８０）即ち、夜間の放射冷却を源として、多孔質の建材から構成される壁体は屋内外から吸湿・吸冷し、潜熱的に蓄冷する。（０１３７）
Ｈ２Ｏの液体の状態で吸収できる素材を用いると、二種類の潜熱的蓄冷手段を冷却エネルギー移転に利用する上では好適である。（００７８）
＊潜熱的蓄冷手段について
吸湿を促進する手段として、地熱・放射冷却の持つ冷却エネルギーを利用し、もっと吸湿の効率を上げ、潜熱式の蓄冷の効率を上げるには、エアコンを用い、冷却エネルギーを供給する。吸放湿並びにＨ２Ｏの相変化に伴うエネルギー移転を利用し、建物の建築上の工夫によって、躯体を用いた蓄冷装置の役割を果たす。（０１１６）
躯体への蓄熱は、構造材・内装材・断熱材等に依る。蓄冷時の吸湿と液化の相変化との連携によって潜熱的蓄冷手段となる。（００６５）
例えば、放射冷却・地熱・深夜電力利用のエアコンのもたらす冷却エネルギーを蓄熱し、吸湿・吸冷を促進する。（０１０６）対流熱の形でエネルギーを供給できるエアコンは、対流熱エネルギーの形で(対流冷気を)空気の流路に供給し、蓄熱体・躯体に対しそのまま潜熱的に蓄冷する。（０１２０）しかも、Ｈ２Ｏの液体の状態で吸収できる素材を用いると、潜熱的蓄冷手段を冷却エネルギー移転に利用する上では好適である。（００７８）即ち、吸放湿材とＨ２Ｏの相変化との連携の比率の高い吸放湿材を用いれば、冷気により潜熱的蓄冷は進行し、含水率は高止まりする。（００１２）
＊技術水準との比較
相対湿度に対応する平衡含水率と吸放湿材の含水率との差によって吸湿又は放湿するという技術水準に対し、吸湿が液化を伴う潜熱的蓄冷による場合、相対湿度の高低によって吸放湿する性質のものではない。冷気を潜熱的に吸収する際に、相対湿度の低い場合でも吸湿でき、冷気を吸湿・吸冷し、潜熱的に蓄冷するが、技術水準との関係では、相対湿度の変動の範囲を超えて吸湿・吸冷することができる。つまり、冷却エネルギーを活用した湿気の吸収促進並びに「液化の促進」という発想による効率的な潜熱的蓄冷を図ることができる。しかも、Ｈ２Ｏの液体の状態で吸収できる素材を用いると、潜熱的蓄冷手段を冷却エネルギー移転に利用する上では好適である。（００７８）即ち、吸放湿材とＨ２Ｏの相変化との連携の比率の高い吸放湿材を用いれば、冷気により潜熱的蓄冷は進行し、含水率は高止まりする。（００１２）具体的には、液化という相変化の際に生成される凝縮熱の働きを利用して、冷気を吸収する。（０１２４）
＊冷気を吸収する、蓄冷の二態様について
「冷たい空間に接する面から冷気を吸収する蓄冷」と「凝縮熱の働きを利用して冷気を吸収する蓄冷」という具合に二種類の蓄冷を導くことができる。
前者について説明すると、技術常識の範囲に収まるもので、例えば、（天井裏空間の）冷却された空気により天井材が冷却され、輻射及び自然対流で室内の冷房が行われる。（００１１）建物外から取り入れた新鮮な空気は床下区間を経る過程で、夏であれば冷やされ、冷えた空気は、床下空間から内側通気層を経由する過程で内壁部を冷やす。（００９９）顕熱的蓄冷の効果でエネルギー変換に繋げ、輻射冷房効果を実現する。（００４１）顕熱的蓄冷を意味する。
後者については、液化という相変化の際に生成される凝縮熱の働きを利用して、冷気を吸収する（０１２４）に開示されているが、相変化に伴い生じる凝縮熱の処理に対しても、放射冷却による温度低下によって、前記の外側通気層の下端から取り入れる外気は冷却され、その冷却エネルギーの効果で、前記の凝縮熱は処理される。（０１０６）凝縮熱を吸収することで、潜熱的蓄冷を行うことができる。（００７８）吸放湿とＨ２Ｏの相変化との連携の比率の高い吸放湿材を用いる。吸放湿材はその冷気を潜熱的に吸収する際に、相対湿度の低い室内から吸湿することができる（０１４４）潜熱的蓄冷を意味する。
＊蓄冷手段としては、冷却エネルギーの蓄冷手段を躯体と蓄熱体・基礎コンクリート・地中からなる蓄熱層に分散でき（００９０）、躯体への蓄熱は、構造材・内装材・断熱材等による。蓄冷時の吸湿と液化の相変化との連携によって潜熱的蓄冷手段となる。（００６５）温度の低い地熱との相乗効果により、断熱材・仕上げ材等の吸放湿材の吸湿・相変化し、液化に伴い生成する凝縮熱を吸収する。冷却エネルギーの移転を伴う潜熱的蓄冷により、吸湿はさらに促進される。（０１１４）蓄熱体は、相変化を生じる蓄熱材から構成される。（００６５）更に、氷蓄冷システムがある。（０００４）又、躯体に顕熱的蓄冷し躯体全体から輻射冷房効果を得られる。（０１２８）尚、蓄熱には、蓄暖・蓄冷の両方の意味をもつ。（００７６）
＊吸放湿とＨ２Ｏの相変化との連携の比率の高い吸放湿材において、前記二種類の潜熱的蓄冷手段と、供給される冷気との関係について、下位概念的に表現すると、
（１）冷気による凝縮熱の処理及び冷気を潜熱的に吸収する蓄冷手段
（２）冷気による凝縮熱の処理及び冷気を顕熱的に吸収する蓄冷手段に区別できる。
＊吸放湿材の断熱性能の低下とその防止及び断熱性能の向上について。
断熱性に背反する伝熱性の創出を促進し、太陽熱を吸収する遮熱効果に繋がり、あるいは、断熱性に背反する伝熱性の創出を抑制し、太陽熱を吸収する断熱性能の改善に繋がる、という制御の問題が吸放湿材を活用する上での新規な課題となる。（００３３）
具体的には、凝縮熱の働きを勘案すると、断熱材の実際の断熱性能は、熱還流率という数値で表される数値以上の性能を有することになる。更に、屋外の冷気により液化したＨ２Ｏは透湿防風防水シートを透過しない。それで、熱損失を増幅することはない。（０１２４）更に、夜間の屋外からの吸冷（潜熱的蓄冷）を昼間の太陽熱エネルギーの日射取得により気化・放湿し、断熱性能の改善に繋げられる。（００８６）
＊吸放湿材に放射冷却及び／又は地熱を源とする冷気を吸放湿材の屋外側から供給する手段について。
（Ａ−２）夜間の放射冷却は、壁体内換気システムを介して天井裏空間及び／又は内側通気層により吸放湿性を備える内装材へ供給される。（詳細は、段落０１１３・０１１４参照）
（Ａ−３）夜間の放射冷却は、開閉式換気口を介して天井裏空間及び／又は内側通気層により吸放湿性を備える内装材へ供給される。（詳細は、段落０１３９以下参照）
（Ａ−４）夜間の放射冷却は、外気に開放された屋根通気層及び／又は外側通気層により吸放湿性を備える断熱材へ供給される。（詳細は、段落０１０６参照）
（Ｂ−１）地熱の自然エネルギーは、壁体内換気システムを介して天井裏空間及び／又は内側通気層の内少なくとも内側通気層により吸放湿性を備える内装材へ供給される。（詳細は、段落００９９・０１０７・０１１３・０１１４参照）
（Ｂ−２）地熱の自然エネルギーは、開閉式床下換気口及び床下空間を介して天井裏空間及び／又は内側通気層の内少なくとも内側通気層により吸放湿性を備える内装材へ供給される。（詳細は、段落０１３９以下参照）
＊請求項１に記載の北側を除いた東・西・南面の屋根体及び／又は壁体の少なくとも一部に用い、含水率が日変動差を有し、吸放湿とＨ２Ｏの相変化との連携の比率の高い吸放湿材としては、
（１）珪酸カルシュウム材主成分の板材／ヒューミライト（００７４）・タイライトウッド（０１３９）
（２）土壁材（００７４・０１２８）
（３）プラスターボード（００６９・０１２８・０１３９）
尚、仕上げ材としては、プラスターボード下地に珪藻土塗り仕上げ、プラスターボード下地に紙クロス。（００６８）
上記の吸放湿材の内、土壁材、プラスターボード、珪酸カルシュウム材主成分の板材は、内装(下地)材・断熱材の何れの用途にも用いられる。土壁材は、主に断熱材として用いられる。
尚、同等の性能を備えるものであれば、上記の資材に限定されるものではない。